(57)【要約】  この開示の実施例は、無線通信ネットワークにおいて下りリンク協調マルチポイント（CoMP）通信の構成のためのデバイス、法王、コンピュータ可読媒体及びシステム構成を記載する。ユーザ装置（UE）は、複数の送信ポイントを含む協調マルチポイント（CoMP）測定セットの個々の送信ポイントについてのチャネル状態情報（CSI）参照信号（RS）パラメータをeNB（evolved  Node  B）から受信してもよい。UEは、CoMP測定セットの個々の送信ポイントについてのCSI-RSフィードバック情報を生成してもよく、個々の送信ポイントのうち１つ以上についての生成されたCSI-RSフィードバック情報をeNBに送信してもよい。UEは、CoMP測定セットに含まれる個々の送信ポイントを更新する送信をeNBから受信してもよい。
2014534771.tif 000002
【特許請求の範囲】
【請求項１】
無線通信ネットワークでeNB（evolved  Node  B）と通信するように構成された通信モジュールと、
前記通信モジュールに結合されたフィードバックモジュールとを有し、
前記フィードバックモジュールは、
複数の送信ポイントを含む協調マルチポイント（CoMP）測定セットの個々の送信ポイントについてのチャネル状態情報（CSI）参照信号（RS）パラメータを受信し、
前記CoMP測定セットの前記個々の送信ポイントについてのCSI-RSフィードバック情報を生成し、
前記通信モジュールを介して、前記個々の送信ポイントのうち１つ以上についての前記生成されたCSI-RSフィードバック情報を前記eNBに送信し、
前記CoMP測定セットに含まれる前記個々の送信ポイントを更新する送信を前記eNBから受信するように構成されるユーザ装置（UE）。
【請求項２】
前記フィードバックモジュールは、複数の送信ポイントを含む候補測定セットの個々の送信ポイントについての候補フィードバック情報を提供する信号を送信するように更に構成され、
前記CoMP測定セットは、前記候補測定セットのサブセットであり、
前記eNBは、前記候補フィードバック情報に基づいて前記CoMP測定セットを判定する、請求項１に記載のUE。
【請求項３】
前記信号は、個々の送信ポイントの共通参照信号（CRS）に関する長期のCRSフィードバック情報、上りリンクサウンディング参照信号及び／又は個々の送信ポイントのCSI-RSに関する長期のCSI-RSフィードバック情報を含む、請求項２に記載のUE。
【請求項４】
前記信号は、個々の送信ポイントに送信される上りリンクサウンディング参照信号を含む、請求項３に記載のUE。
【請求項５】
前記フィードバックモジュールは、
前記候補測定セットのサブセットであるCoMPリソース管理セットの個々の送信ポイントについてのCSI-RSパラメータを受信し、
前記CoMPリソース管理セットに含まれる個々の送信ポイントのCSI-RSに関する長期のCSI-RSフィードバック情報を含む前記信号を前記eNBに送信するように更に構成される、請求項２に記載のUE。
【請求項６】
前記フィードバックモジュールは、
前記CoMP測定セットに含まれる前記CoMPリソース管理セットの個々の送信ポイントを前記UEに通知する送信を受信するように更に構成される、請求項５に記載のUE。
【請求項７】
前記CoMP測定セットを更新する前記送信は、前記更新されたCoMP測定セットに含まれる送信ポイントに対応する１つ以上のインデックスを含む、請求項１に記載のUE。
【請求項８】
前記フィードバックモジュールは、
それぞれの送信の品質に基づいて前記CoMP測定セットの送信ポイントの数を選択し、ただし、前記数は、所定の数以下であり、
前記選択された送信ポイントの数についての前記CSI-RSフィードバックを送信するように構成される、請求項１に記載のUE。
【請求項９】
前記フィードバックモジュールは、前記eNBから前記所定の数を受信するように構成される、請求項８に記載のUE。
【請求項１０】
前記通信モジュールは、物理下りリンク共有チャネル（PDSCH）で前記UEに送信するようにスケジューリングされた１つ以上の送信ポイントを示す送信を前記eNBから物理下りリンク制御チャネル（PDCCH）で受信するように更に構成される、請求項１に記載のUE。
【請求項１１】
前記PDCCH送信は、前記１つ以上のスケジューリングされた送信ポイントのインデックスを備えたCoMPセル指示フィールド（CSIF）を含む、請求項１０に記載のUE。
【請求項１２】
前記通信モジュールは、前記PDSCHでの送信を受信するために、対応する送信ポイントについて受信した前記CSI-RSパラメータを取得するように更に構成される、請求項１１に記載のUE。
【請求項１３】
前記CSIFは、キャリアアグリゲーション・セル指示フィールド（CA  CIF）と組み合わされる、請求項１２に記載のUE。
【請求項１４】
前記CoMP測定セットの前記CSI-RSパラメータは、無線リソース制御（RRC）シグナリングを介して受信される、請求項１に記載のUE。
【請求項１５】
前記CoMP測定セットを更新する前記送信は、媒体アクセス制御（MAC）シグナリングを介して受信される、請求項１に記載のUE。
【請求項１６】
個々の送信ポイントについての前記生成されたCSI-RSフィードバック情報は、物理上りリンク制御チャネル（PUCCH）を介して送信される、請求項１に記載のUE。
【請求項１７】
複数の送信ポイントについての前記生成されたCSI-RSフィードバック情報は、物理上りリンク共有チャネル（PUSCH）送信に多重される、請求項１に記載のUE。
【請求項１８】
無線通信ネットワークにおける協調マルチポイント（CoMP）通信を管理する装置であって、
前記無線通信ネットワークでユーザ装置（UE）と通信するように構成された通信モジュールと、
前記通信モジュールに結合されたCoMP管理モジュールとを有し、
前記CoMP管理モジュールは、
複数の送信ポイントを含むCoMP測定セットの個々の送信ポイントについてのチャネル状態情報（CSI）参照信号（RS）パラメータを前記UEに送信し、
前記CoMP測定セットの前記個々の送信ポイントのうち１つ以上についてのCSI-RS高速フィードバック情報を前記UEから受信し、
前記CoMP測定セットに含まれる前記個々の送信ポイントを更新し、
前記更新されたCoMP測定セットを前記UEに通知する送信を行うように構成される装置。
【請求項１９】
前記CoMP管理モジュールは、
候補測定セットの個々の送信ポイントについての候補フィードバック情報を受信し、
前記候補フィードバック情報に基づいて前記候補測定セットから前記CoMP測定セットを選択するように更に構成される、請求項１８に記載の装置。
【請求項２０】
前記候補フィードバック情報は、前記候補測定セットの個々の送信ポイントについての長期の共通参照信号（CRS）フィードバック情報、上りリンクサウンディング参照信号（SRS）フィードバック情報、及び／又は長期のCSI-RSフィードバック情報を含む、請求項１９に記載の装置。
【請求項２１】
前記CoMP管理モジュールは、長期のCSI-RSフィードバック情報が前記UEにより生成されるCoMPリソース管理セットの個々の送信ポイントについてのCSI-RSパラメータを前記UEに送信するように更に構成され、
前記CoMPリソース管理セットは、前記候補測定セットのサブセットである、請求項２０に記載の装置。
【請求項２２】
前記CoMP管理モジュールは、個々の送信ポイントに対応するインデックスに基づいて、前記CoMP測定セットに含まれる前記CoMPリソース管理セットの個々の送信ポイントを前記UEに通知する送信を行うように更に構成される、請求項２１に記載の装置。
【請求項２３】
前記更新されたCoMP測定セットを前記UEに通知する前記送信は、個々の送信ポイントに対応するインデックスに基づいて、前記更新されたCoMP測定セットに含まれる個々の送信ポイントを前記UEに通知する、請求項１８に記載の装置。
【請求項２４】
前記CoMP管理モジュールは、前記UEが前記CSI-RSフィードバック情報を送信する送信ポイントの最大量を示す数を前記UEに送信するように構成される、請求項１８に記載の装置。
【請求項２５】
前記CoMP測定セットの前記CSI-RSパラメータは、無線リソース制御（RRC）シグナリングを介して送信される、請求項１８に記載の装置。
【請求項２６】
前記更新されたCoMP測定セットを前記UEに通知する前記送信は、媒体アクセス制御（MAC）シグナリングを介して送信される、請求項１８に記載の装置。
【請求項２７】
前記CoMP管理モジュールは、物理下りリンク共有チャネル（PDSCH）で前記UEに送信するようにスケジューリングされた前記CoMP測定セットの送信ポイントに対応する１つ以上のインデックスに対応するインデックスを備えた下りリンク制御情報（DCI）メッセージを前記UEに送信するように更に構成される、請求項１８に記載の装置。
【請求項２８】
前記１つ以上のインデックスは、前記DCIメッセージのCoMPセル指示フィールド（CSIF）に含まれる、請求項２７に記載の装置。
【請求項２９】
前記CSIFは、キャリアアグリゲーション・セル指示フィールド（CA  CIF）と組み合わされる、請求項２８に記載の装置。
【請求項３０】
前記CSI測定セットに含まれる前記送信ポイントのうち２つ以上は、同じセル識別情報を有する、請求項１８に記載の装置。
【請求項３１】
ユーザ装置（UE）との協調マルチポイント（CoMP）通信を管理する方法であって、
複数の送信ポイントを含む候補測定セットの個々の送信ポイントについての候補フィードバック情報を受信するステップと、
前記候補測定セットからCoMP測定セットを選択するステップと、
前記CoMP測定セットに含まれる送信ポイントを前記UEに通知するステップと、
前記CoMP測定セットの個々の送信ポイントのうち１つ以上についてのCSI参照（CSI-RS）高速フィードバックを前記UEから受信するステップと、
前記受信したCSI-RS高速フィードバックと前記受信した候補フィードバック情報とに基づいて前記CoMP測定セットを更新するステップと、
前記更新されたCoMP測定セットに含まれる送信ポイントを前記UEに通知するステップと
を有する方法。
【請求項３２】
前記CoMP測定セットの個々の送信ポイントについてのCSI-RSパラメータを前記UEに送信するステップを更に有する、請求項３１に記載の方法。
【請求項３３】
前記候補フィードバック情報は、CRSに基づく無線リソース管理（RRM）測定、CSI-RSに基づくRRM測定、及び／又は上りリンクサウンディング参照信号（SRS）測定を含む、請求項３１に記載の方法。
【請求項３４】
長期のCSI-RSフィードバック情報が前記UEにより送信される無線リソース管理（RRM）測定セットの個々の送信ポイントについてのCSI-RSパラメータを前記UEに送信するステップを更に有し、
前記CoMP管理セットは、前記候補測定セットのサブセットである、請求項３３に記載の方法。
【請求項３５】
前記UEが前記CSI-RSフィードバック情報を提供する前記CoMP測定セットの送信ポイントの最大数を前記UEに通知するステップを更に有する、請求項３１に記載の方法。
【請求項３６】
前記更新されたCSI測定セットの送信ポイントを前記UEに通知するステップは、前記更新されたCSI測定セットを前記UEに通知するために、無線リソース制御（RRC）シグナリングを介して前記UEに対して送信を行うことを含む、請求項３１に記載の方法。
【請求項３７】
前記UEは、前記個々の送信ポイントに対応するインデックスに基づいて、前記更新されたCoMP測定セットに含まれる送信ポイントを通知される、請求項３１に記載の方法。
【請求項３８】
前記１つ以上のインデックスは、媒体アクセス制御（MAC）シグナリングを介して送信される、請求項３７に記載の方法。
【請求項３９】
物理下りリンク共有チャネル（PDSCH）で前記UEに送信するようにスケジューリングされた前記CSI測定セットの送信ポイントに対応する１つ以上のインデックスを、物理下りリンク制御チャネル（PDCCH）で前記UEに送信するステップを更に有し、
前記送信は、前記CSI測定セットから選択された送信ポイントに関する、請求項３１に記載の方法。
【請求項４０】
実行された場合、ユーザ装置（UE）に対して、
複数の送信ポイントを含む協調マルチポイント（CoMP）リソース管理セットの個々の送信ポイントについてのチャネル状態情報（CSI）参照信号（RS）パラメータをeNB（evolved  Node  B）から受信させ、
前記CoMPリソース管理セットのサブセットであるCoMP測定セットに含まれる個々の送信ポイントを前記UEに通知する送信を前記eNBから受信させ、
前記CoMP測定セットの個々の送信ポイントについてのCSI-RS高速フィードバックを生成させ、
前記個々の送信ポイントのうち１つ以上についての前記生成されたCSI-RS高速フィードバックを前記eNBに送信させ、
前記CoMP測定セットに含まれる個々の送信ポイントを更新する送信を前記eNBから受信させる命令を格納した１つ以上のコンピュータ可読媒体。
【請求項４１】
前記CoMPリソース管理セットの個々の送信ポイントについての前記CSI-RSパラメータは、前記個々の送信ポイントに対応するインデックスに関連付けられる、請求項４０に記載の１つ以上のコンピュータ可読媒体。
【請求項４２】
前記命令は、実行された場合、前記UEに対して、更に、前記受信したCSI-RSパラメータに基づいて、前記CoMPリソース管理セットの個々の送信ポイントについての長期のCSI-RSフィードバック情報を生成させる、請求項４１に記載の１つ以上のコンピュータ可読媒体。
【請求項４３】
前記CSI-RSパラメータは、所定の数を含み、
前記命令は、実行された場合、前記UEに対して、更に、
それぞれの送信の品質に基づいて前記CoMP測定セットの送信ポイントの数を選択させ、ただし、前記数は、前記所定の数以下であり、
前記選択された送信ポイントの数についての前記生成された高速CSI-RSフィードバックを送信させる、請求項４０に記載の１つ以上のコンピュータ可読媒体。
【請求項４４】
通信モジュールは、物理下りリンク共有チャネル（PDSCH）で前記UEに送信するようにスケジューリングされた送信ポイントに対応する１つ以上のインデックスを含む物理下りリンク制御チャネル（PDCCH）送信を前記eNBから受信するように更に構成される、請求項４０に記載の１つ以上のコンピュータ可読媒体。
【請求項４５】
前記CSI-RSパラメータは、CoMP構成パラメータに含まれ、
前記CoMP構成パラメータは、セル特有のパラメータを更に含む、請求項４０に記載の１つ以上のコンピュータ可読媒体。
【請求項４６】
前記CSI測定セットに含まれる前記送信ポイントのうち２つ以上は、同じセル識別情報を有する、請求項４０に記載の１つ以上のコンピュータ可読媒体。
【発明の詳細な説明】
【技術分野】
【０００１】
この出願は、2011年11月4日に“ADVANCED  WIRELESS  COMMUNICATION  SYSTEMS  AND  TECHNIQUES”という題で出願された米国仮特許出願第61/556,109号及び2012年1月27日に“ADVANCED  WIRELESS  COMMUNICATION  SYSTEMS  AND  TECHNIQUES”という題で出願された米国仮特許出願第61/591,641号の優先権を主張し、これらの全開示を援用する。
【０００２】
本発明の実施例は、概して通信分野に関し、特に下りリンク協調マルチポイント通信のためのシグナリングに関する。
【背景技術】
【０００３】
協調マルチポイント（CoMP：coordinated  multipoint）システムは、無線ネットワークの様々な動作パラメータを改善するために開発されている。３つの種類のCoMPシステム（ジョイント送信（JT：joint  transmission）、ダイナミックポイント選択（DPS：dynamic  point  selection）、協調スケジューリング及び協調ビームフォーミング（CS/CB：cooperative  scheduling  and  cooperative  beamforming））が存在する。JT  CoMPでは、サービングポイント（例えば、eNB（enhanced  node  base  station））と協調ポイント（例えば、他のeNB）は、同じデータをユーザ装置（UE：user  equipment）に送信し得る。DPS  CoMPでは、送信ポイントは、複数の候補（例えば、マクロノードeNB及びピコノードeNB）の中から動的に選択され得る。CS/CB  CoMPでは、協調ノードは、干渉チャネルの干渉を抑制し得る。UEとのCoMP通信の効率的な管理は、送信ポイントの様々なCoMPセットの定義を必要とし得る。
【発明の概要】
【発明が解決しようとする課題】
【０００４】
しかし、UEは、eNBがCoMPセットを効率的に判定することを可能にするための十分なフィードバックを提供しないことがある。
【図面の簡単な説明】
【０００５】
【図１】様々な実施例による無線通信ネットワークを示す概略図
【図２】様々な実施例によるユーザ装置を示すブロック図
【図３】様々な実施例による基地局を示すブロック図
【図４】様々な実施例による基地局により実行され得るCoMP管理方法を示すフローチャート
【図５】様々な実施例によるユーザ装置により実行され得るCoMP構成をサポートする方法を示すフローチャート
【図６】様々な実施例による例示的なシステムを示すブロック図
【発明を実施するための形態】
【０００６】
実施例は、添付図面と共に以下の詳細な説明により容易に理解される。この説明を容易にするために、同様の参照符号は同様の構成要素を示す。添付図面の図において、実施例は限定ではなく、一例のみとして示されている。
【０００７】
この開示の例示的な実施例は、無線通信ネットワークにおいて下りリンク協調マルチポイント（CoMP：coordinated  multi-point）通信を構成する方法、システム及び装置を含むが、これらに限定されない。
【０００８】
例示的な実施例の様々な態様は、研究の内容を他の当業者に伝えるために当業者により一般的に使用される用語を使用して記載される。しかし、別の実施例が記載の態様のいくつかのみで実施されてもよいことが、当業者に明らかになる。説明の目的で、例示的な実施例の完全な理解を提供するために、特定の番号、素材及び構成が示されている。しかし、別の実施例は、これらの詳細なしに実装されてもよいことが、当業者に明らかになる。他の場合にも、例示的な実施例をあいまいにしないため、周知の特徴は省略又は簡略化される。
【０００９】
更に、様々な動作は、複数の別個の動作として記載され、また、例示的な実施例を理解するのに最も有用であるように記載される。しかし、説明の順序は、これらの動作が必然的に順序に依存していることを意味するものとして解釈されるべきではない。特に、これらの動作は、提示の順序で実行される必要はない。
【００１０】
“或る実施例では”という語句が繰り返し使用される。この語句は、同じ実施例を示すものではない。しかし、同じ実施例を示してもよい。“有する”、“備える”及び“含む”という用語は、文脈が別のものを規定しない限り、同義語である。“A及び／又はB”は、(A)、(B)又は(A及びB)を意味する。“A/B”という語句は、“A及び／又はB”と同様に、(A)、(B)又は(A及びB)を意味する。“A、B及びCのうち少なくとも１つ”という語句は、(A)、(B)、(C)、(A及びB)、(A及びC)、(B及びC)又は(A、B及びC)を意味する。“(A)B”という語句は、(B)又は(A及びB)を意味し、すなわち、Aが任意選択であることを意味する。
【００１１】
特定の実施例についてここに例示及び記載するが、この開示の実施例の範囲を逸脱することなく、広範囲の別の実装及び／又は等価な実装も、例示及び記載の特定の実施例に対して置換されてもよいことが、当業者により分かる。従って、この開示の実施例は、特許請求の範囲及びその均等のみにより制限されることを明らかに意図する。
【００１２】
ここで使用される“モジュール”という用語は、１つ以上のソフトウェア又はファームウェアプログラムを実行する特定用途向け集積回路（ASIC：Application  Specific  Integrated  Circuit）、電子回路、プロセッサ（共有、専用又はグループ）及びメモリ（共有、専用又はグループ）、組み合わせ論理回路、及び／又は記載の機能を提供する他の適切な構成要素を含むもの又はその一部を示してもよい。
【００１３】
図１は、様々な実施例による無線通信ネットワーク100を概略的に示している。無線通信ネットワーク100（以下、“ネットワーク100”）は、E-UTRAN（evolved  universal  mobile  telecommunication  system  (UMTS)  terrestrial  radio  access  network）のような3GPP（3rd  Generation  Partnership  Project）のLTE（long-term  evolution）ネットワークのアクセスネットワークでもよい。ネットワーク100は、ユーザ装置（UE：user  equipment）108と無線で通信するように構成された基地局（例えば、eNB（evolved  Node  B）104を含んでもよい。
【００１４】
少なくとも最初に、eNB104は、UE108と無線接続を確立してもよく、UE108との協調マルチポイント（CoMP：coordinated  multi-point）通信のサービングノード（serving  node）として動作してもよい。eNB104は、ネットワーク100の個々のセル116a-cにサービス提供する１つ以上の送信ポイント112a-cを含んでもよい。例えば、送信ポイント112aは第１のセル116aをカバーしてもよく、送信ポイント112bは第２のセル116bをカバーしてもよく、送信ポイント112cは第３のセル116cをカバーしてもよい。他の実施例では、eNB104は、１つのみの送信ポイントを含んでもよく、及び／又は１つのセルのみをカバーしてもよい。ネットワーク100は、１つ以上の更なる送信ポイント112d-oを更に含んでもよい。送信ポイント112d-oは、遠隔無線ヘッド（RRH：remote  radio  head）（遠隔無線装置（RRE：remote  radio  equipment）とも呼ばれる）でもよく、及び／又は基地局（例えば、eNB）でもよい。或る実施例では、送信ポイント112d-oは、eNB104より低い電力で送信してもよい。送信ポイント112d-oは、図示のセル116a-cに配置されてもよく、及び／又は図示のセル116a-cに関連付けられてもよい。
【００１５】
送信ポイント112d-oは、eNB104との協調を通じて、UE108との無線通信を容易にするように構成されてもよい。１つ以上の更なる送信ポイント112d-oは、併せて“協調ノード（coordinating  node）”と呼ばれてもよい。或る実施例では、送信ポイントは、協調ノードの役目とサービングノードの役目とを移行してもよい。サービングノード及び協調ノードは、無線接続及び／又は有線接続（例えば、高速ファイババックホール接続）で相互に通信してもよい。
【００１６】
図２に示すように、UE108は、少なくとも図示のように相互に結合された通信モジュール220と、フィードバックモジュール224と、メモリ228とを含んでもよい。通信モジュール220は、ネットワーク100で無線通信するために、UE108の複数のアンテナ232のうち１つ以上と更に結合されてもよい。
【００１７】
UE108は、いずれか適切な数のアンテナ232を含んでもよい。様々な実施例では、UE108は、送信ポイント112a-oからUE108により受信される同時空間レイヤ又はストリームの数と少なくとも同じ数のアンテナ232を含んでもよい。しかし、この開示の範囲はこの点に限定されなくてもよい。同時空間レイヤ又はストリームの数は、送信ランク又は単にランクと呼ばれることがある。
【００１８】
或いは、１つ以上のアンテナ232は、送信アンテナ又は受信アンテナとして使用されてもよい。或いは又は更に、１つ以上のアンテナ232は、専用受信アンテナ又は専用送信アンテナでもよい。
【００１９】
図３に示すように、eNB104は、少なくとも図示のように相互に結合された通信モジュール336と、CoMP管理モジュール340とを含んでもよい。通信モジュール336は、eNB104の複数のアンテナ344のうち１つ以上に更に結合されてもよい。通信モジュール336は、１つ以上のUE（例えば、UE108）と通信（例えば、送信及び／又は受信）してもよい。様々な実施例では、eNB104は、UE108に送信される同時送信ストリームの数と少なくとも同じ数のアンテナ344を含んでもよい。しかし、この開示の範囲はこの点に限定されなくてもよい。或いは、１つ以上のアンテナ344は、送信アンテナ又は受信アンテナとして使用されてもよい。或いは又は更に、１つ以上のアンテナ344は、専用受信アンテナ又は専用送信アンテナでもよい。更に、１つ以上のアンテナ344は、個々の送信ポイント112a-cに関連付けられてもよい（例えば、個々のセル116a-c内での通信に専用のものでもよい）。或いは又は更に、１つ以上のアンテナ344は、１つ以上のセル116a-cでの通信を交互に行ってもよい。
【００２０】
或る実施例では、１つ以上の送信ポイント112d-oは、eNB104と同様のモジュール／構成要素を有してもよい。
【００２１】
様々な実施例では、eNB104のCoMP管理モジュール340は、複数の送信ポイント（例えば、複数の送信ポイント112a-o）を含むCoMP測定セット（CoMP  Measurement  Set）の個々の送信ポイントについてのチャネル状態情報（CSI：channel  state  information）参照信号（RS：reference  signal）パラメータをUE108に送信してもよい。UE108は、CSI-RSパラメータを受信してもよく、UE108のフィードバックモジュール224は、CoMP測定セットの個々の送信ポイントのために高速CSI-RSフィードバックを生成してもよい。UE108は、CoMP測定セットの送信ポイントのうち１つ以上について高速CSI-RSフィードバック情報を送信してもよい。eNB104は、eNB104が高速CSI-RSフィードバック情報を受信した送信ポイントから、協調セット及びスケジューリングされた送信ポイントセットの送信ポイントを選択してもよい。eNB104は、どの送信ポイントがCoMP測定セットに含まれるかを動的に更新してもよい。eNB104は、CoMP測定セットに対する構成及び／又は更新をUE108に通知する送信をUE108に対して行ってもよい。UE108は、更新されたCoMP測定セットの送信ポイントについての高速CSI-RSフィードバック情報を生成してもよい。
【００２２】
様々な実施例では、CoMP測定セットは、複数の送信ポイント（例えば、複数の送信ポイント112a-o）を含む大きい候補測定セットから選択されてもよい。eNB104のCoMP管理モジュール340は、ネットワーク100の複数の送信ポイントを含む候補測定セットを選択してもよい。候補測定セットの送信ポイントは、UE108とのCoMP通信の最初の候補でもよい。候補測定セットに含まれる送信ポイントは、UE108が位置するセル及び／又はUE108への送信ポイント112a-oの近さのように、いずれか適切なデータに基づいて選択されてもよい。或る実施例では、候補測定セットは、セル特有でもよい（例えば、同じセル内の全てのUEに当てはまってもよい）。しかし、或る実施例では、候補測定セットは、UE108の近くに位置する送信ポイントのように、eNBがUE108に関して有する他の情報に基づいて変更されてもよい。
【００２３】
様々な実施例では、CoMP管理モジュール340は、候補測定セットの個々の送信ポイントについての候補フィードバック情報を受信してもよい。候補フィードバック情報は、長期（例えば、平均）の共通参照信号（CRS：common  reference  signal）フィードバック情報、上りリンクサウンディング参照信号（SRS：sounding  reference signal）フィードバック情報及び／又は長期（例えば、平均）のCSI-RSフィードバック情報を含んでもよい。或る実施例では、異なる種類の候補フィードバック情報は、異なる送信ポイントについて取得されてもよい。例えば、CSI-RSフィードバック情報は、いくつかの送信ポイントについて取得されてもよく、CRSフィードバック情報及び／又はSRSフィードバック情報は、他の送信ポイントについて取得されてもよい。更に又は或いは、１つより多くの種類の候補フィードバック情報は、個々の送信ポイント（例えば、CRSフィードバック情報、SRSフィードバック情報及びCSI-RSフィードバック情報）について取得されてもよい。
【００２４】
様々な実施例では、UE108のフィードバックモジュール224は、候補フィードバック情報を提供するために信号を送信してもよい。例えば、信号は、個々の送信ポイントのCRSに関するCRSフィードバック情報、上りリンクSRS、及び／又は個々の送信ポイントのCSI-RSに関するCSI-RSフィードバック情報を含んでもよい。上りリンクSRSの場合、SRSは、個々の送信ポイントにより受信されてもよく、SRSに関するフィードバック情報（例えば、受信信号強度）は、送信ポイントからeNB104に送信されてもよい。
【００２５】
様々な実施例では、eNB104は、eNB104がUE108から長期（例えば、無線リソース管理の種類）のCSI-RSフィードバック情報を要求している候補測定セットの個々の送信ポイントについてのCSI-RSパラメータをUE108に送信してもよい。これらの送信ポイントは、候補測定セットのサブセットであるCoMPリソース管理セット（CoMP  Resource  Management  Set）の一部と考えられてもよい。或る実施例では、CoMPリソース管理セット及び候補測定セットは、同じでもよい（例えば、送信ポイントの同じセットを含んでもよい）。
【００２６】
或る実施例では、eNB104は、eNB104が長期のCSI-RSフィードバック情報を要求していない更なる送信ポイントのCSI-RSパラメータを送信してもよい。CSI-RSパラメータのシグナリングは、更に以下に説明するように、CoMP測定セットに含めるための送信ポイントの動的なアクティベーション及び／又はディアクティベーションを容易にしてもよい。
【００２７】
或る実施例では、UE108がCRSフィードバック情報及び／又はSRS信号を提供するために、既存の機構及びシグナリングが使用されてもよい。従って、eNB104がCRSフィードバック情報及び／又はSRSフィードバック情報を収集する候補測定セットの送信ポイントをUE108に通知するために、更なるシグナリングは必要なくてもよい。或いは又は更に、eNB104は、CRSフィードバック情報及び／又はSRS信号のCoMP特有の構成パラメータをUE108に送信してもよい。
【００２８】
或る場合には、CRSフィードバック情報は、eNB104がUE108についてのCoMP通信を管理するのに十分でなくてもよい。例えば、或る場合には、セル内の複数の送信ポイント（例えば、セル116aの送信ポイント112a及び112d-g）は、同じセル識別子（セルID）に関連付けられてもよい。CRSフィードバック情報は、セルIDに関連付けられてもよく、従って、eNB104が送信ポイントを区別するのに有用でなくてもよい。これらの実施例では、SRSフィードバック及び／又は長期のCSI-RSフィードバックは、候補測定セットの個々の送信ポイントのフィードバックを提供するために使用されてもよい。
【００２９】
様々な実施例では、CSI-RSパラメータは、無線リソース制御（RRC：radio  resource  control）シグナリングを介してUE108に送信されてもよい。CSI-RSパラメータは、例えば、CSI-RSリソース構成パラメータ、ゼロ電力CSI-RS構成パラメータ、上りリンク制御チャネルパラメータ、及び／又はCSIフィードバックモードインジケータを含んでもよい。CSI-RSリソース構成パラメータは、例えば、送信電力、周期、サブフレームオフセット、スクランブルコード、初期速度、アンテナポート数、及び／又はCoMP測定セットの個々の送信ポイントに関するインデックスを含んでもよい。ゼロ電力CSI-RS構成パラメータは、干渉測定のための通常のゼロ電力CSI-RS構成パラメータ及び／又はゼロ電力CSI-RS構成パラメータを含んでもよい。
【００３０】
或る実施例では、CSI-RSパラメータは、CoMP構成パラメータに含まれてもよく、CoMP構成パラメータはまた、CSIフィードバックが報告される送信ポイント（例えば、CSI-RSリソース）の最大数及び／又はセル特有のパラメータを含んでもよい（以下に説明する）。セル特有のパラメータは、例えば、無線フレームのMBSFN（multicast-broadcast  single  frequency  network）サブフレームインデックス、共通参照信号（CRS：common  reference  signal）のアンテナポート数、CRS周波数シフト、セル識別子、セルにより送信される物理下りリンク制御チャネル（PDCCH：physical  downlink  control  channel）のアンテナポート数、及び／又は個々のセル（例えば、セル116a-c）に関連するポジショニング参照信号（PRS：positioning  reference  signal）パラメータのようなフレーム構成パラメータを含んでもよい。
【００３１】
eNB104は、eNB104がCSI-RSパラメータを送信する個々の送信ポイントにインデックスを割り当ててもよい。インデックスは、CSI-RSパラメータの送信に含まれてもよく、及び／又は送信に含まれるCSI-RSパラメータの順序により暗示的に割り当てられてもよい。或る実施例では、インデックスは、3又は4ビットのインデックスでもよい。しかし、他のビット量が使用されてもよい。
【００３２】
様々な実施例では、UE108は、eNB104から受信したCSI-RSパラメータに基づいて、CoMPリソース管理セットの個々の送信ポイントのCSI-RSフィードバック情報を生成してもよい。UE108は、CSI-RSフィードバック情報をeNB104に送信してもよい。
【００３３】
eNB104は、候補CSI-RSの候補フィードバック情報に基づいてCoMP測定セットを選択してもよい。前述のように、候補フィードバック情報は、CoMPリソース管理セットのCSI-RSに基づくRRM測定、更なる送信ポイント（及び／又はCoMPリソース管理セットの送信ポイント）に利用可能な上りリンクSRS測定及び／又はいずれかのCRSに基づくRRM測定を含んでもよい。CoMP測定セットは、UE108が送信ポイントのCSI-RSについて高速CSI-RSフィードバックを生成する送信ポイントを含む。CoMP測定セットは、UE特有でもよい。
【００３４】
或る実施例では、CoMP測定セットに含まれる送信ポイントはまた、CoMPリソース管理セットに含まれてもよい。この場合、UE108は、CoMP測定セットのCoMP構成パラメータを既に有していてもよい。eNB104は、CoMP測定セットに含まれる送信ポイントをUE108に通知する送信をUE108に対して行ってもよい。或る実施例では、送信は、媒体アクセス制御レイヤの制御要素（MAC-CE：medium  access  control  layer  control  element）送信及び／又はRRC送信でもよい。送信は、インデックスが以前に（例えば、RRCレベルで）構成されている場合、CoMP測定セットに含まれる個々の送信ポイント（すなわち、CSI-RSリソース）のインデックスを含んでもよい。或いは、インデックスは、CoMP測定セットを規定する送信（例えば、RRC送信）において明示的に構成及び／又は再構成されてもよい。
【００３５】
或る実施例では、CSI-RSが割り当てられたインデックスで構成される場合、送信は、CoMP測定セットに含まれる送信ポイントを示すビットマップを含んでもよい。例えば、ビットマップは、送信ポイントのインデックスに従って並び替えられてもよい。第１の値のビット（例えば、論理1）は、送信ポイントがCoMP測定セットに含まれることを示し、第２の値のビット（例えば、論理0）は、送信ポイントがCoMP測定セットに含まれないことを示してもよい。
【００３６】
UE108のフィードバックモジュール224は、CoMP測定セットの送信ポイントについて前に受信したCoMP構成パラメータを参照してもよい。例えば、フィードバックモジュール224は、メモリ228からCoMP構成パラメータを取得してもよい。
【００３７】
他の実施例では、CoMP測定セットは、UE108がCoMP構成パラメータを有していない送信ポイントを含んでもよい。これらの実施例では、eNB104は、構成処理のこの段階において、これらの送信ポイントのCoMP構成パラメータを送信してもよい。eNB104はまた、これらの送信ポイントにインデックスを割り当ててもよい。
【００３８】
様々な実施例では、UE108は、CoMP測定セットの個々の送信ポイントについて高速CSI-RSフィードバック情報を生成してもよい。UE108は、高速CSI-RSフィードバックをeNB104に送信してもよい。或る実施例では、UE108がCSI-RSフィードバックをeNB104に報告するCoMP測定セット内の送信ポイントの数は、所定の最大数に更に制限されてもよい。或る実施例では、最大数は、eNB104により判定され、eNB104によりUE108に送信されるCSI-RSパラメータに含まれてもよい。UE108は、それぞれの送信の品質に基づいて（例えば、生成されたCSI-RSフィードバックに基づいて）CoMP測定セットの送信ポイントの数を選択してもよい。ただし、この数は所定の最大数以下である。UE108は、これらの送信ポイントの高速CSI-RSフィードバックをeNB104に送信してもよい。高速CSI-RSフィードバックの送信は、（例えば、送信ポイントのインデックスに基づいて）UE108により報告するために選択された送信ポイントの識別情報を示してもよい。
【００３９】
或る実施例では、UE108は、上りリンク送信において複数の送信ポイントの結合したCSI-RSフィードバックを送信してもよい。例えば、結合したCSI-RSフィードバック情報は、物理上りリンク共有チャネル（PUSCH：physical  uplink  shared  channel）で送信されてもよい。或る実施例では、CSI-RSフィードバック情報が報告されている送信ポイントのインデックスは、PUSCH送信に含まれてもよい。或いは、UE108は、CSI-RSフィードバックを個々に（例えば、送信ポイント毎の別々のメッセージで）送信してもよい。例えば、個々の送信ポイントのCSI-RSフィードバック情報は、物理上りリンク制御チャネル（PUCCH：physical  uplink  control  channel）で送信されてもよい。或る実施例では、複数の送信ポイントについてCSI-RSフィードバック情報を含むメッセージは、送信ポイントのインデックスに従ってPUCCHに多重されてもよい。
【００４０】
別の実施例では、UE108は、CoMPリソース管理セットからCoMP測定セットを自律的に選択してもよい。例えば、eNB104は、CoMPリソース管理セットについてのCSI-RSパラメータに最大数を含めてもよい。UE108は、eNB104に高速CSI-RSフィードバック情報を報告するCoMPリソース管理セットの最大数の送信ポイントまでを選択してもよい。この手法は、eNB104がCoMP測定セットへの更新をシグナリングすることを必要としなくてもよい。しかし、eNB104は、例えば送信ポイントを通じたトラヒックの変化及び／又は差し迫ったスケジューリング判定に基づいて、CoMP測定セットの送信ポイントを更に制限することはできない可能性がある。
【００４１】
eNB104は、CoMP測定セットから１つ以上の送信ポイントの協調セットを選択してもよい。協調セットは、UE108へのCoMP送信について協調する送信ポイントを含んでもよい。eNB104は、高速CSI-RSフィードバック、他のスケジューリング判定及び／又は他の要因に基づいて、協調セットに含まれる送信ポイントを判定してもよい。協調セットは、物理下りリンク共有チャネル（PDSCH：physical  downlink  shared  channel）でUE108に送信するためにスケジューリングされた１つ以上の送信ポイントを含んでもよい。更に、協調セットは、対応するチャネルリソースのPDSCHをミュートする（例えば、送信しない）ようにスケジューリングされたいずれかの送信ポイントを含んでもよい。或る実施例では、協調セットの識別情報は、UE108に送信されなくてもよい。この理由は、協調セットは、PDSCHでUE108に送信しない送信ポイントを含んでもよいからである。
【００４２】
或る実施例では、eNB104は、PDSCHでUE108に送信するためにスケジューリングされた送信ポイントをUE108に通知するための送信をUE0108に対して行ってもよい。送信は、PDCCHのような物理チャネルで行われてもよい。例えば、ダイナミックポイント選択（DPS：dynamic  point  selection）のような或るCoMP方式では、UE108は、スケジューリングされた送信ポイントを通知される必要があってもよい。DPS  CoMPでは、PDSCHの正確な復号化を可能にするために、送信セル及び／又はCSI-RSリソースの明示的なシグナリングが必要になってもよい（CRSについてのセルIDに依存した周波数シフトのため、PRB内のPDSCHマッピングの順序は異なるセルで異なる可能性がある）。
【００４３】
或る実施例では、UE108に送信するためにスケジューリングされた１つ以上の送信ポイントをUE108に通知するために、CoMPセル指示フィールド（CSIF：CoMP  cell  indication  field）が使用されてもよい。例えば、CSIFは、PDCCHでUEに送信される下りリンク制御情報（DCI：downlink  control  information）メッセージに含まれてもよい。CSIFは、アクティベートされた送信ポイント（例えば、セル及び／又はCSI-RSリソース）のどれがPDSCHでの送信のためにスケジューリングされたか否かを示すために、CoMP測定セットについて構成された同じインデックスを使用してもよい。
【００４４】
或る実施例では、CSIFは、キャリアアグリゲーション（CA：carrier  aggregation）セル指示フィールド（CIF：cell  indication  field）フィールドに加えて、新たなフィールド（例えば、2ビットのフィールド）として規定されてもよい。或いは、CSIFは、CA  CIFと組み合わされてもよい。これは、LTE（Long  Term  Evolution）標準のリリース10で既に提供されている同じ3ビットを再利用して実現されてもよく、CoMP及びCAのセルの多くの組み合わせを可能にするために更に多い数のビットで実現されてもよい。この組み合わされたCIFフィールドは、CAのキャリア間スケジューリングについて構成されたセルとして、混乱なくUEにより解釈可能であり、CoMPについて使用されるものは、RRCシグナリングを通じて明示的に構成される。例えば、CSIFがリリース10のキャリアアグリゲーションのCIFのために提供されたPDCCHの同じ3ビットのフィールドを使用し、２つのキャリアのみがCIFでのキャリア間スケジューリングについて構成された場合、RRCシグナリングにより構成されたCoMPに使用されるセル／CSI-RSを示すために、残りの6個の可能性が使用されてもよい。
【００４５】
他の実施例では、eNB104は、スケジューリングされた送信ポイントをUE108に通知しなくてもよい。
【００４６】
様々な実施例では、eNB104は、CoMP測定セットに含まれる送信ポイントを動的に更新し、更新されたCoMP測定セットをUE108に通知するためにUE108に対して送信を行ってもよい。更新の送信は、送信ポイントのインデックスに基づいてCoMP測定セットに含める送信ポイントをアクティベート及び／又はディアクティベートしてもよい。例えば、更新の送信は、初期のCoMP測定セットをUE108に通知する送信と同じフォーマット及び／又は内容を含んでもよい。
【００４７】
eNB104は、例えばCoMP測定セットについてUE108により報告された高速CSI-RSフィードバック情報に基づいて、CoMP測定セットに含まれる送信ポイントを更新してもよい。例えば、１つ以上の報告された送信ポイントについての高速CSI-RSフィードバックの品質が閾値より下である場合、eNB104は、他の送信ポイントをCoMP測定セットに追加及び／又は置換することを要求してもよい。eNB104は、候補測定セットに含まれる送信ポイントからCoMP測定セットに含める他の送信ポイントを選択してもよい。eNB104は、候補測定セットについての進行中の（例えば、周期的な）候補フィードバック情報を受信してもよく、判定を候補フィードバック情報に基づかせてもよい。更に、eNB104は、高速CSI-RSフィードバック情報に基づいてCoMP測定セットから１つ以上の送信ポイントを除去してもよい。
【００４８】
或る実施例では、UE108は、更新されたCoMP測定セットに含まれる送信ポイントのCSI-RSパラメータを既に有してもよい。例えば、更新されたCoMP測定セットは、CoMPリソース管理セットの送信ポイントのサブセットを含んでもよい。これらの実施例では、eNB104は、インデックスに従って更新されたCoMP測定セットに含まれる送信ポイントをUE108に効率的に通知するために、MAC送信を使用してもよい。UE108は、高速CSI-RSフィードバック情報を生成するために、前に受信したCSI-RSパラメータを使用してもよい。
【００４９】
他の実施例では、例えば、送信ポイントがCoMPリソース管理セットに含まれなかった場合及び／又はCoMPリソース管理セットが構成されなかった場合、UE108は、更新されたCoMP測定セットに含まれる１つ以上の送信ポイントについてCSI-RSパラメータを有さなくてもよい。これらの実施例では、eNB104は、CoMP測定セットを更新するときに、CSI-RSパラメータ及び／又は他のCoMP構成パラメータをUE104に送信してもよい。パラメータは、例えばRRCシグナリングにより送信されてもよい。この選択肢は、（例えば、CoMPリソース管理セットを構成するための）前もってのシグナリングをあまり必要としないが、CoMP測定セットを動的に更新するときに多くのシグナリングを必要とする。
【００５０】
様々な実施例では、CoMP測定セットの動的な更新は、eNB104が変化するネットワーク状況、スケジューリング判定及び／又はUE108の位置／ニーズに適合することを可能にしてもよい。
【００５１】
図４は、様々な実施例によるUE（例えば、UE108）とのCoMP通信を管理する方法400を示している。方法400は、eNB（eNB104等）により実行されてもよい。或る実施例では、eNBは、実行された場合、eNBに対して方法400を実行させる命令を格納した１つ以上のコンピュータ可読媒体を有してもよく、及び／又は１つ以上のコンピュータ可読媒体にアクセスしてもよい。
【００５２】
404において、eNBは、候補測定セットの個々の送信ポイントについての候補フィードバック情報を受信してもよい。前述のように、候補フィードバック情報は、長期のCRSフィードバック情報、上りリンクSRSフィードバック情報及び／又は長期のCSI-RSフィードバック情報を含んでもよい。
【００５３】
408において、eNBは、候補測定セットからCoMP測定セットを選択してもよい。412において、eNBは、CoMP測定セットに含まれる送信ポイントをUEに通知してもよい。例えば、eNBは、CoMP測定セットに含まれる送信ポイントをUEに通知するために、RRC送信及び／又はMAC送信を行ってもよい。
【００５４】
416において、eNBは、CoMP測定セットの１つ以上の送信ポイントについての高速CSI-RSフィードバックをUEから受信してもよい。或る実施例では、UEが高速CSI-RSフィードバック情報を送信するCoMP測定セットの送信ポイントの数は、最大の所定の数に更に制限されてもよい。
【００５５】
420において、eNBは、受信したCSI-RSフィードバックに基づいてCoMP測定セットを更新してもよい。eNBはまた、他のデータ及び／又は要因を考慮してもよい。424において、eNBは、更新されたCoMP測定セットに含まれる送信ポイントをUEに通知してもよい。この方法400は、ブロック416で（矢印428により表されるように）再び開始してもよい。換言すると、eNBは、更新されたCoMP測定セットの１つ以上の送信ポイントについて高速CSI-RSフィードバックをUEから受信してもよい。
【００５６】
様々な実施例では、eNBは、CoMP測定セットの送信ポイントについてCSI-RSパラメータをUEに送信してもよい。或る実施例では、eNBは、ブロック404の前にCSI-RSパラメータをUEに送信してもよい。例えば、UEが候補フィードバック情報の一部として長期のCSI-RSフィードバック情報を提供する場合、UEが長期のCSI-RSフィードバック情報を提供することを可能にするために、eNBは、ブロック404の前にCSI-RSパラメータを送信してもよい。他の実施例では、eNBは、方法400の後の方で（ブロック412におけるCoMP測定セットのUEへの通知と同時等）CSI-RSパラメータを送信してもよい。
【００５７】
様々な実施例では、eNBは、ブロック416においてeNBが高速CSI-RSフィードバックを受信するCoMP測定セットの送信ポイントから、協調セット及びスケジューリングされた送信ポイントセットを選択してもよい。
【００５８】
図５は、UEとのCoMP通信を管理する際にeNBを支援するためにUE（例えば、UE108）により実行され得る方法500を示している。或る実施例では、UEは、実行された場合、UEに対して方法500を実行させる命令を格納した１つ以上のコンピュータ可読媒体を有してもよく、及び／又は１つ以上のコンピュータ可読媒体にアクセスしてもよい。
【００５９】
504において、UEは、CoMP測定セットの個々の送信ポイントについてのCSI-RSパラメータを受信してもよい。或る実施例では、CSI-RSパラメータは、大きいグループの送信ポイント（例えば、前述のCoMPリソース管理セット）について受信されてもよく、UEは、CoMP測定セットに含まれる送信ポイントをUEに通知する送信を受信してもよい。他の実施例では、CSI-RSパラメータは、CoMP測定セットに含まれる送信をUEに通信する送信と共に受信されてもよく、及び／又はこの送信に含まれてもよい。
【００６０】
508において、UEは、CoMP測定セットの送信ポイントについての高速CSI-RSフィードバック情報を生成してもよい。512において、UEは、１つ以上の送信ポイントについての生成されたCSI-RSフィードバックをeNBに送信してもよい。或る実施例では、UEが高速CSI-RSフィードバック情報を送信する送信ポイントの数は、最大の所定の数に制限されてもよい。UEは、例えばCSI-RSパラメータの一部として、eNBから所定の数を受信してもよい。
【００６１】
516において、UEは、CoMP測定セットに含まれる個々の送信ポイントを更新する送信をeNBから受信してもよい。或る実施例では、UEは、CoMP測定セットに含まれる候補である全ての候補送信ポイントについてCSI-RSパラメータを以前に受信していてもよい。この場合、UEは、更新されたCoMP測定セットについての高速CSI-RSフィードバックを生成するために、以前に受信したCSI-RSパラメータを使用してもよい。換言すると、UEは、矢印520により示すように、ブロック508において再び方法500を開始してもよい。
【００６２】
他の実施例では、UEは、更新されたCoMP測定セットの全ての送信ポイントについてCSI-RSパラメータを有さなくてもよい。この場合、UEは、矢印524により示すようにブロック504において再び方法500を開始してもよく、UEは、更新されたCoMP測定セットの送信ポイントについてのCSI-RSパラメータを受信してもよい。UEは、現在のセッション中にUEが以前にCSI-RSパラメータを受信していない送信ポイントについてのCSI-RSパラメータのみを受信してもよい。或いは、UEは、方法500がブロック504において繰り返すときに、更新されたCoMP測定セットの全ての送信ポイントについてのCSI-RSパラメータを受信してもよい。
【００６３】
ここに記載のeNB104、UE108及び／又は送信ポイント112は、所望のように構成するためにいずれか適切なハードウェア及び／又はソフトウェアを使用してシステムに実装されてもよい。図６は、一実施例について、１つ以上のプロセッサ604と、少なくとも１つのプロセッサ604に結合されたシステム制御ロジック608と、システム制御ロジック608に結合されたシステムメモリ612と、システム制御ロジック608に結合された不揮発性メモリ（NVM）／記憶装置616と、システム制御ロジック608に結合されたネットワークインタフェース620と、システム制御ロジック608に結合された入出力（I/O）デバイス632とを有する例示的なシステム600を示している。
【００６４】
プロセッサ604は、１つ以上のシングルコア又はマルチコアのプロセッサを含んでもよい。プロセッサ604は、汎用プロセッサ及び専用プロセッサ（例えば、グラフィックスプロセッサ、アプリケーションプロセッサ、ベースバンドプロセッサ等）のいずれかの組み合わせを含んでもよい。
【００６５】
一実施例のシステム制御ロジック608は、少なくとも１つのプロセッサ604及び／又はシステム制御ロジック608と通信するいずれか適切なデバイス若しくは構成要素にいずれか適切なインタフェースを提供するためのいずれか適切なインタフェースコントローラを含んでもよい。
【００６６】
一実施例のシステム制御ロジック608は、システムメモリ612にインタフェースを提供する１つ以上のメモリコントローラを含んでもよい。システムメモリ612は、例えばシステム600のためのデータ及び／又は命令をロード及び格納するために使用されてもよい。一実施例のシステムメモリ612は、例えば適切なダイナミックランダムアクセスメモリ（DRAM：dynamic  random  access  memory）のようないずれか適切な揮発性メモリを含んでもよい。
【００６７】
NVM／記憶装置616は、例えばデータ及び／又は命令を格納するために使用される１つ以上の有形の過渡的でないコンピュータ可読媒体を含んでもよい。NVM／記憶装置616は、いずれか適切な不揮発性メモリ（例えば、フラッシュメモリ等）を含んでもよく、及び／又はいずれか適切な不揮発性記憶デバイス（例えば、１つ以上のHDD（hard  disk  drive）、１つ以上のCD（compact  disk）ドライブ及び／又は１つ以上のDVD（digital  versatile  disk）ドライブ等）を含んでもよい。
【００６８】
NVM／記憶装置616は、システム600がインストールされたデバイスの物理的な部分である記憶リソースを含んでもよく、或いは、デバイスによりアクセス可能でもよい（デバイスの必ずしも一部とは限らない）。例えば、NVM／記憶装置616はネットワークインタフェース620を介したネットワークで及び／又は入出力（I/O）デバイス632でアクセスされてもよい。
【００６９】
ネットワークインタフェース620は、システム600が１つ以上のネットワークで通信するため及び／又は他の適切なデバイスと通信するための無線インタフェースを提供するために、トランシーバ622を有してもよい。トランシーバ622は、通信モジュール220を実装してもよい。様々な実施例では、トランシーバ622は、システム600の他の構成要素と統合されてもよい。例えば、トランシーバ622は、プロセッサ604のうちのプロセッサ、システムメモリ612のメモリ、及び／又はNVM／記憶装置616のうちのNVM／記憶装置を含んでもよい。ネットワークインタフェース620は、いずれか適切なハードウェア及び／又はファームウェアを含んでもよい。ネットワークインタフェース620は、複数入力・複数出力（multiple  input,  multiple  output）の無線インタフェースを提供するために、複数のアンテナを含んでもよい。一実施例のネットワークインタフェース620は、例えば、有線ネットワークアダプタ、無線ネットワークアダプタ、電話モデム及び／又は無線モデムを含んでもよい。
【００７０】
一実施例では、少なくとも１つのプロセッサ604は、システム制御ロジック608の１つ以上のコントローラのロジックと共にパッケージ化されてもよい。一実施例では、少なくとも１つのプロセッサ604は、SiP（System  in  Package）を形成するように、システム制御ロジック608の１つ以上のコントローラのロジックと共にパッケージ化されてもよい。一実施例では、少なくとも１つのプロセッサ604は、システム制御ロジック608の１つ以上のコントローラのロジックと同じダイに集積（統合）されてもよい。一実施例では、少なくとも１つのプロセッサ604は、SoC（System  on  Chip）を形成するように、システム制御ロジック608の１つ以上のコントローラのロジックと同じダイに集積されてもよい。
【００７１】
様々な実施例では、I/Oデバイス632は、システム600とのユーザ相互作用を可能にするように設計されたユーザインタフェース、システム600との周辺機器構成要素の相互作用を可能にするように設計された周辺機器構成要素インタフェース、及び／又はシステム600の位置情報及び／又は環境条件を判定するように設計されたセンサを含んでもよい。
【００７２】
様々な実施例では、ユーザインタフェースは、ディスプレイ（例えば、液晶ディスプレイ、タッチスクリーンディスプレイ等）、スピーカ、マイクロフォン、１つ以上のカメラ（例えば、スチールカメラ及び／又はビデオカメラ）、フラッシュライト（例えば、発光ダイオードのフラッシュ）及びキーボードを含んでもよいが、これらに限定されない。
【００７３】
様々な実施例では、周辺機器構成要素インタフェースは、不揮発性メモリポート、USB（universal  serial  bus）ポート、オーディオジャック及び電源インタフェースを含んでもよいが、これらに限定されない。
【００７４】
様々な実施例では、センサは、ジャイロセンサ、加速度計、近接センタ、周辺光センサ、測位ユニットを含んでもよいが、これらに限定されない。測位ユニットは、測位ネットワークの構成要素（例えば、GPS（global  positioning  system）衛星）と通信するためのネットワークインタフェース620の一部でもよく、ネットワークインタフェース620と相互作用してもよい。
【００７５】
様々な実施例では、システム600は、ラップトップコンピュータデバイス、タブレットコンピュータデバイス、ネットブック、スマートフォン等のようなモバイルコンピュータデバイスでもよいが、これらに限定されない。様々な実施例では、システム600は、多くの構成要素又は少ない構成要素を有してもよく、及び／又は異なるアーキテクチャを有してもよい。
【００７６】
説明の目的で特定の実施例についてここに例示及び記載したが、この開示の範囲を逸脱することなく、同じ目的を達成するように計算された広範囲の別の実施例若しくは実装及び／又は等価な実施例若しくは実装が、図示及び記載の実施例について置換されてもよい。この出願は、ここに説明した実施例のいずれかの適合又は変更をカバーすることを意図する。従って、ここに記載の実施例は特許請求の範囲及びその均等によってのみ限定されることを明らかに意図する。
【図１】
2014534771.tif 000003
【図２】
2014534771.tif 000004
【図３】
2014534771.tif 000005
【図４】
2014534771.tif 000006
【図５】
2014534771.tif 000007
【図６】
2014534771.tif 000008
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
ユーザ装置（UE）により使用される装置であって、
無線通信ネットワークでeNB（evolved  Node  B）と通信するように構成された通信モジュールと、
前記通信モジュールに結合されたフィードバックモジュールとを有し、
前記フィードバックモジュールは、
複数の送信ポイントを含む協調マルチポイント（CoMP）測定セットの個々の送信ポイントについてのチャネル状態情報（CSI）参照信号（RS）パラメータを受信し、
前記CoMP測定セットの前記個々の送信ポイントについてのCSI-RSフィードバック情報を生成し、
前記通信モジュールを介して、前記個々の送信ポイントのうち１つ以上についての前記生成されたCSI-RSフィードバック情報を前記eNBに送信し、
前記CoMP測定セットに含まれる前記個々の送信ポイントを更新する送信を前記eNBから受信するように構成される装置。
【請求項２】
前記フィードバックモジュールは、複数の送信ポイントを含む候補測定セットの個々の送信ポイントについての候補フィードバック情報を提供する信号を送信するように更に構成され、
前記CoMP測定セットは、前記候補測定セットのサブセットであり、
前記eNBは、前記候補フィードバック情報に基づいて前記CoMP測定セットを判定する、請求項１に記載の装置。
【請求項３】
前記信号は、個々の送信ポイントの共通参照信号（CRS）に関する長期のCRSフィードバック情報、上りリンクサウンディング参照信号及び／又は個々の送信ポイントのCSI-RSに関する長期のCSI-RSフィードバック情報を含む、請求項２に記載の装置。
【請求項４】
前記信号は、個々の送信ポイントに送信される上りリンクサウンディング参照信号を含む、請求項３に記載の装置。
【請求項５】
前記フィードバックモジュールは、
前記候補測定セットのサブセットであるCoMPリソース管理セットの個々の送信ポイントについてのCSI-RSパラメータを受信し、
前記CoMPリソース管理セットに含まれる個々の送信ポイントのCSI-RSに関する長期のCSI-RSフィードバック情報を含む前記信号を前記eNBに送信するように更に構成される、請求項２に記載の装置。
【請求項６】
前記フィードバックモジュールは、
個々の送信ポイントに対応するインデックスに基づいて、前記CoMP測定セットに含まれる前記CoMPリソース管理セットの個々の送信ポイントを前記UEに通知する送信を受信するように更に構成される、請求項５に記載の装置。
【請求項７】
前記フィードバックモジュールは、
前記eNBから所定の数を受信し、
それぞれの送信の品質に基づいて前記CoMP測定セットの送信ポイントの数を選択し、ただし、前記数は、所定の数以下であり、
前記選択された送信ポイントの数についての前記CSI-RSフィードバックを送信するように構成される、請求項１に記載の装置。
【請求項８】
前記通信モジュールは、物理下りリンク共有チャネル（PDSCH）で前記UEに送信するようにスケジューリングされた１つ以上の送信ポイントを示す送信を前記eNBから物理下りリンク制御チャネル（PDCCH）で受信し、
前記PDSCHでの送信を受信するために、対応する送信ポイントについて受信した前記CSI-RSパラメータを取得するように更に構成される、請求項１に記載の装置。
【請求項９】
無線通信ネットワークにおける協調マルチポイント（CoMP）通信を管理する装置であって、
前記無線通信ネットワークでユーザ装置（UE）と通信するように構成された通信モジュールと、
前記通信モジュールに結合されたCoMP管理モジュールとを有し、
前記CoMP管理モジュールは、
複数の送信ポイントを含むCoMP測定セットの個々の送信ポイントについてのチャネル状態情報（CSI）参照信号（RS）パラメータを前記UEに送信し、
前記CoMP測定セットの前記個々の送信ポイントのうち１つ以上についての高速CSI-RSフィードバック情報を前記UEから受信し、
前記CoMP測定セットに含まれる前記個々の送信ポイントを更新し、
前記更新されたCoMP測定セットを前記UEに通知する送信を行うように構成される装置。
【請求項１０】
前記CoMP管理モジュールは、
候補測定セットの個々の送信ポイントについての候補フィードバック情報を受信し、
前記候補フィードバック情報に基づいて前記候補測定セットから前記CoMP測定セットを選択するように更に構成される、請求項９に記載の装置。
【請求項１１】
前記候補フィードバック情報は、前記候補測定セットの個々の送信ポイントについての長期の共通参照信号（CRS）フィードバック情報、上りリンクサウンディング参照信号（SRS）フィードバック情報、及び／又は長期のCSI-RSフィードバック情報を含む、請求項１０に記載の装置。
【請求項１２】
前記CoMP管理モジュールは、長期のCSI-RSフィードバック情報が前記UEにより生成されるCoMPリソース管理セットの個々の送信ポイントについてのCSI-RSパラメータを前記UEに送信するように更に構成され、
前記CoMPリソース管理セットは、前記候補測定セットのサブセットである、請求項１１に記載の装置。
【請求項１３】
前記CoMP管理モジュールは、個々の送信ポイントに対応するインデックスに基づいて、前記CoMP測定セットに含まれる前記CoMPリソース管理セットの個々の送信ポイントを前記UEに通知する送信を行うように更に構成される、請求項１２に記載の装置。
【請求項１４】
前記更新されたCoMP測定セットを前記UEに通知する前記送信は、個々の送信ポイントに対応するインデックスに基づいて、前記更新されたCoMP測定セットに含まれる個々の送信ポイントを前記UEに通知する、請求項９に記載の装置。
【請求項１５】
前記CoMP管理モジュールは、前記UEが前記CSI-RSフィードバック情報を送信する送信ポイントの最大量を示す数を前記UEに送信するように構成される、請求項９に記載の装置。
【請求項１６】
前記CoMP管理モジュールは、物理下りリンク共有チャネル（PDSCH）で前記UEに送信するようにスケジューリングされた前記CoMP測定セットの送信ポイントに対応する１つ以上のインデックスを備えたCoMPセル指示フィールド（CSIF）を有する下りリンク制御情報（DCI）メッセージを前記UEに送信するように更に構成される、請求項９に記載の装置。
【請求項１７】
前記CSIFは、キャリアアグリゲーション・セル指示フィールド（CA  CIF）と組み合わされる、請求項１６に記載の装置。
【請求項１８】
ユーザ装置（UE）との協調マルチポイント（CoMP）通信を管理する方法であって、
複数の送信ポイントを含む候補測定セットの個々の送信ポイントについての候補フィードバック情報を受信するステップと、
前記候補測定セットからCoMP測定セットを選択するステップと、
前記CoMP測定セットに含まれる送信ポイントを前記UEに通知するステップと、
前記CoMP測定セットの個々の送信ポイントのうち１つ以上についてのCSI参照（RS）高速フィードバックを前記UEから受信するステップと、
前記受信したCSI-RS高速フィードバック情報と前記受信した候補フィードバック情報とに基づいて前記CoMP測定セットを更新するステップと、
前記更新されたCoMP測定セットに含まれる送信ポイントを前記UEに通知するステップと
を有する方法。
【請求項１９】
前記候補測定セットの個々の送信ポイントについてのCoMP構成パラメータを前記UEに送信するステップを更に有し、
前記CoMP構成パラメータは、前記個々の送信ポイントについてのCSI-RSパラメータと、前記送信ポイントに関連する１つ以上のセルのセル特有のCoMPパラメータとを含む、請求項１８に記載の方法。
【請求項２０】
前記UEが前記CSI-RS高速フィードバックを提供する前記CoMP測定セットの送信ポイントの最大数を前記UEに通知するステップを更に有する、請求項１８に記載の方法。
【請求項２１】
前記UEは、前記個々の送信ポイントに対応するインデックスに基づいて、前記更新されたCoMP測定セットに含まれる送信ポイントを通知される、請求項１８に記載の方法。
【請求項２２】
実行された場合、ユーザ装置（UE）に対して、
複数の送信ポイントを含む協調マルチポイント（CoMP）リソース管理セットの個々の送信ポイントについてのチャネル状態情報（CSI）参照信号（RS）パラメータをeNB（evolved  Node  B）から受信させ、
前記CoMPリソース管理セットのサブセットであるCoMP測定セットに含まれる個々の送信ポイントを前記UEに通知する送信を前記eNBから受信させ、
前記CoMP測定セットの個々の送信ポイントについてのCSI-RS高速フィードバック情報を生成させ、
前記個々の送信ポイントのうち１つ以上についての前記生成されたCSI-RS高速フィードバック情報を前記eNBに送信させ、
前記CoMP測定セットに含まれる個々の送信ポイントを更新する送信を前記eNBから受信させる命令を格納した１つ以上のコンピュータ可読媒体。
【請求項２３】
前記CoMPリソース管理セットの個々の送信ポイントについての前記CSI-RSパラメータは、前記個々の送信ポイントに対応するインデックスに関連付けられ、
前記CoMP測定セットを更新する送信は、前記インデックスに基づいて、更新されたCoMP測定セットを前記UEに通知する、請求項２２に記載の１つ以上のコンピュータ可読媒体。
【請求項２４】
前記CSI-RSパラメータは、所定の数を含み、
前記命令は、実行された場合、前記UEに対して、更に、
それぞれの送信の品質に基づいて前記CoMP測定セットの送信ポイントの数を選択させ、ただし、前記数は、前記所定の数以下であり、
前記選択された送信ポイントの数についての前記生成された高速CSI-RSフィードバックを送信させる、請求項２２に記載の１つ以上のコンピュータ可読媒体。
【請求項２５】
前記CSI測定セットに含まれる前記送信ポイントのうち２つ以上は、同じセル識別情報を有する、請求項２２に記載の１つ以上のコンピュータ可読媒体。
【国際調査報告】
2014534771.tif 000009
2014534771.tif 000010